【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
（Ａ）色材と、（Ｂ）分散剤と、（Ｃ）溶剤とを含有し、前記（Ｂ）分散剤が、下記一般式（Ｉ）で表される構成単位、及び、下記一般式（Ｉ’）で表される構成単位から選ばれる１種以上を有する重合体であり、前記（Ｃ）溶剤が、ＳＰ値が８．６（ｃａｌ／ｃｍ３）１／２以上９．４（ｃａｌ／ｃｍ３）１／２以下の溶剤（１）と、ＳＰ値が７．８（ｃａｌ／ｃｍ３）１／２以上８．６（ｃａｌ／ｃｍ３）１／２未満の溶剤（２）とを含有する、色材分散液。
【化１】
2017002191.tif 000001
（一般式（Ｉ）及び一般式（Ｉ’）中、Ｌ１は、直接結合又は２価の連結基、Ｒ１は、水素原子又はメチル基、Ｒ２は、水酸基、炭化水素基、−［ＣＨ（Ｒ３）−ＣＨ（Ｒ４）−Ｏ］ｘ１−Ｒ５、−［（ＣＨ２）ｙ１−Ｏ］ｚ１−Ｒ５、又は−Ｏ−Ｒ６で示される１価の基であり、Ｒ６は、炭化水素基、−［ＣＨ（Ｒ３）−ＣＨ（Ｒ４）−Ｏ］ｘ１−Ｒ５、−［（ＣＨ２）ｙ１−Ｏ］ｚ１−Ｒ５、−Ｃ（Ｒ７）（Ｒ８）−Ｃ（Ｒ９）（Ｒ１０）−ＯＨ、又は、−ＣＨ２−Ｃ（Ｒ１１）（Ｒ１２）−ＣＨ２−ＯＨで示される１価の基である。
Ｒ３及びＲ４は、それぞれ独立に水素原子又はメチル基であり、Ｒ５は、水素原子、炭化水素基、−ＣＨＯ、−ＣＨ２ＣＨＯ、−ＣＯ−ＣＨ＝ＣＨ２、−ＣＯ−Ｃ（ＣＨ３）＝ＣＨ２又は−ＣＨ２ＣＯＯＲ１３で示される１価の基であり、Ｒ１３は水素原子又は炭素数１〜５のアルキル基である。Ｒ７、Ｒ８、Ｒ９、Ｒ１０、Ｒ１１及びＲ１２は、それぞれ独立に、水素原子、炭化水素基、又は、エーテル結合及びエステル結合から選択される１種以上を有する炭化水素基であり、Ｒ７及びＲ９は、互いに結合して環構造を形成してもよい。上記環状構造を形成した場合、当該環状構造が更に置換基Ｒ１４を有していてもよく、Ｒ１４は、炭化水素基、又は、エーテル結合及びエステル結合から選択される１種以上を有する炭化水素基である。前記炭化水素基は、置換基を有していてもよい。一般式（Ｉ’）中、Ｘ＋は有機カチオンを表す。ｘ１は１〜１８の整数、ｙ１は１〜５の整数、ｚ１は１〜１８の整数を表す。）
【請求項２】
前記溶剤（１）と前記溶剤（２）の混合比が質量比で、溶剤（１）：溶剤（２）＝９０：１０〜５０：５０である、請求項１に記載の色材分散液。
【請求項３】
前記（Ｂ）分散剤が、前記一般式（Ｉ）で表される構成単位、及び、前記一般式（Ｉ’）で表される構成単位から選ばれる１種以上と、下記一般式（ＩＩ）で表される構成単位とを有するグラフト共重合体であるか、又は、前記一般式（Ｉ）で表される構成単位、及び、前記一般式（Ｉ’）で表される構成単位から選ばれる１種以上と、下記一般式（ＩＩＩ）で表される構成単位とを有するブロック共重合体である、請求項１又は２に記載の色材分散液。
【化２】
2017002191.tif 000002
（一般式（ＩＩ）中、Ｌ２は、直接結合又は２価の連結基、Ｒ２１は、水素原子又はメチル基、Ｐｏｌｙｍｅｒは、下記一般式（ＩＶ）で表される構成単位を有するポリマー鎖を表す。
一般式（ＩＩＩ）中、Ｒ２２は、水素原子又はメチル基、Ｒ２３は、炭化水素基、−［ＣＨ（Ｒ２４）−ＣＨ（Ｒ２５）−Ｏ］ｘ２−Ｒ２６、−［（ＣＨ２）ｙ２−Ｏ］ｚ２−Ｒ２６、−［ＣＯ−（ＣＨ２）ｙ２−Ｏ］ｚ２−Ｒ２６、−ＣＯ−Ｏ−Ｒ２６’又は−Ｏ−ＣＯ−Ｒ２６”で示される１価の基、Ｒ２４及びＲ２５は、それぞれ独立に水素原子又はメチル基、Ｒ２６は、水素原子、炭化水素基、−ＣＨＯ、−ＣＨ２ＣＨＯ又は−ＣＨ２ＣＯＯＲ２７で示される１価の基であり、Ｒ２６’は、炭化水素基、−［ＣＨ（Ｒ２４）−ＣＨ（Ｒ２５）−Ｏ］ｘ２’−Ｒ２６、−［（ＣＨ２）ｙ２’−Ｏ］ｚ２’−Ｒ２６、−［ＣＯ−（ＣＨ２）ｙ２’−Ｏ］ｚ２’−Ｒ２６で示される１価の基であり、Ｒ２６”は炭素数１〜１８のアルキル基、Ｒ２７は水素原子又は炭素数１〜５のアルキル基である。前記炭化水素基は、置換基を有していてもよい。
ｘ２及びｘ２’は１〜１８の整数、ｙ２及びｙ２’は１〜５の整数、ｚ２及びｚ２’は１〜１８の整数を示す。）
【化３】
2017002191.tif 000003
（一般式（ＩＶ）中、Ｒ３１は水素原子又はメチル基であり、Ｒ３２は炭化水素基、−［ＣＨ（Ｒ３３）−ＣＨ（Ｒ３４）−Ｏ］ｘ３−Ｒ３５、−［（ＣＨ２）ｙ３−Ｏ］ｚ３−Ｒ３５、−［ＣＯ−（ＣＨ２）ｙ３−Ｏ］ｚ３−Ｒ３５、−ＣＯ−Ｏ−Ｒ３６又は−Ｏ−ＣＯ−Ｒ３７で示される１価の基、Ｒ３３及びＲ３４は、それぞれ独立に水素原子又はメチル基、Ｒ３５は、水素原子、炭化水素基、−ＣＨＯ、−ＣＨ２ＣＨＯ又は−ＣＨ２ＣＯＯＲ３８で示される１価の基、Ｒ３６は、炭化水素基、−［ＣＨ（Ｒ３３）−ＣＨ（Ｒ３４）−Ｏ］ｘ４−Ｒ３５、−［（ＣＨ２）ｙ４−Ｏ］ｚ４−Ｒ３５、−［ＣＯ−（ＣＨ２）ｙ４−Ｏ］ｚ４−Ｒ３５で示される１価の基、Ｒ３７は炭素数１〜１８のアルキル基、Ｒ３８は水素原子又は炭素数１〜５のアルキル基であり、前記炭化水素基は、置換基を有していてもよい。
ｎは５〜２００の整数を示す。ｘ３及びｘ４は１〜１８の整数、ｙ３及びｙ４は１〜５の整数、ｚ３及びｚ４は１〜１８の整数を示す。）
【請求項４】
前記（Ｂ）分散剤において、前記一般式（Ｉ）、及び前記一般式（Ｉ’）におけるＲ２が、炭化水素基、−［ＣＨ（Ｒ３）−ＣＨ（Ｒ４）−Ｏ］ｘ１−Ｒ５、又は、−［（ＣＨ２）ｙ１−Ｏ］ｚ１−Ｒ５で示される１価の基である、請求項１乃至３のいずれか一項に記載の色材分散液。
【請求項５】
前記（Ｂ）分散剤が、エポキシ基及び環状エーテル基の少なくとも一方を側鎖に有する重合体と、酸性リン化合物との反応生成物であって、酸性リン化合物基の少なくとも一部が塩を形成していてもよい、請求項１乃至４のいずれか一項に記載の色材分散液。
【請求項６】
前記（Ａ）色材が、トリアリールメタン系色材、及び、キサンテン系色材からなる群より選択される１種以上を含む、請求項１乃至５のいずれか一項に記載の色材分散液。
【請求項７】
前記（Ａ）色材が、塩基性染料の金属レーキ色材を含む、請求項１乃至６のいずれか一項に記載の色材分散液。
【請求項８】
前記（Ａ）色材が、下記一般式（ＶＩ）で表される色材（Ａ−１）を含む、請求項１乃至７のいずれか一項に記載の色材分散液。
【化４】
2017002191.tif 000004
（一般式（ＶＩ）中、Ａは、Ｎと直接結合する炭素原子がπ結合を有しないａ価の有機基であって、当該有機基は、少なくともＮと直接結合する末端に飽和脂肪族炭化水素基を有する脂肪族炭化水素基、又は当該脂肪族炭化水素基を有する芳香族基を表し、炭素鎖中にＯ、Ｓ、Ｎが含まれていてもよい。Ｂｃ−はｃ価のポリ酸アニオンを表す。Ｒｉ〜Ｒｖは各々独立に水素原子、置換基を有していてもよいアルキル基又は置換基を有していてもよいアリール基を表し、ＲｉｉとＲｉｉｉ、ＲｉｖとＲｖが結合して環構造を形成してもよい。Ａｒ１は置換基を有していてもよい２価の芳香族基を表す。複数あるＲｉ〜Ｒｖ及びＡｒ１はそれぞれ同一であっても異なっていてもよい。
ａ及びｃは２以上の整数、ｂ及びｄは１以上の整数を表す。ｅは０又は１であり、ｅが０のとき結合は存在しない。複数あるｅは同一であっても異なっていてもよい。）
【請求項９】
請求項１乃至８のいずれか一項に記載の色材分散液と、（Ｄ）バインダー成分とを含有する、カラーフィルタ用着色樹脂組成物。
【請求項１０】
透明基板と、当該透明基板上に設けられた着色層とを少なくとも備えるカラーフィルタの製造方法であって、
透明基板上に、前記請求項９に記載のカラーフィルタ用着色樹脂組成物を硬化させることにより着色層の少なくとも１つを形成する工程を有する、カラーフィルタの製造方法。
【請求項１１】
請求項１０に記載のカラーフィルタの製造方法により、カラーフィルタを製造する工程と、当該製造されたカラーフィルタと、液晶の駆動用基板とを対向させて組み立てる工程とを有する、液晶表示装置の製造方法。
【請求項１２】
請求項１０に記載のカラーフィルタの製造方法により、カラーフィルタを製造する工程と、発光層を有する基板の、前記発光層を有する側の面に、前記製造されたカラーフィルタを配置する工程を有する、発光表示装置の製造方法。
【手続補正２】
【補正対象書類名】明細書
【補正対象項目名】００１３
【補正方法】変更
【補正の内容】
【００１３】
本発明に係るカラーフィルタ用着色樹脂組成物は、前記本発明に係る色材分散液と、（Ｄ）バインダー成分とを含有することを特徴とする。
本発明に係る色材分散液、及び、本発明に係るカラーフィルタ用着色樹脂組成物においては、前記溶剤（１）と前記溶剤（２）の混合比が質量比で、溶剤（１）：溶剤（２）＝９０：１０〜５０：５０であることが好ましい。